(57)【要約】  記録媒体に記録した多数の番組やシーンの検索結果からいずれかを選択し再生する場合に、再生停止、中断、再生再開を実行することを考慮して、ユーザにとって有意義なレジューム機能を実現する。記録媒体に記録した複数の番組、前記番組それぞれの複数のシーンの中から任意の番組またはシーンを選択し再生出力する電子機器において、前記番組またはシーンのリストをリスト表示の操作入力に応じて前記リストを画面表示し、前記リストからいずれかの番組またはシーンを選択する操作入力に応じてその番組またはシーンの再生を開始し、前記番組またはシーンの再生中に入力されるリスト表示の操作入力に応じて前記番組またはシーンの再生を停止すると共に、前記リストを再表示する。
2015033448.tif 000002
【特許請求の範囲】
【請求項１】
記録媒体に記録した複数の番組、前記番組それぞれの複数のシーンの中から任意の番組またはシーンを選択し再生出力する電子機器において、
前記番組またはシーンのリストをリスト表示の操作入力に応じて前記リストを画面表示するリスト表示手段と、
前記リスト表示手段で表示されるリストからいずれかの番組またはシーンを選択する操作入力に応じてその番組またはシーンの再生を開始する再生開始手段と、
前記番組またはシーンの再生中に入力されるリスト表示の操作入力に応じて前記番組またはシーンの再生を停止すると共に、前記リストを再表示するリスト再表示手段と、
を具備する電子機器。
【請求項２】
さらに、前記番組またはシーンの再生中に入力される再生停止の操作入力に応じて前記番組またはシーンの再生を停止して待機状態とし、再生の操作入力に応じて前記停止した位置から再生を開始するレジューム手段を備える請求項１記載の電子機器。
【請求項３】
前記リスト表示手段は、
受信番組中の字幕の字幕データと前記字幕の表示時間を示す時間データを含むデータを、シーンリスト用のデータとして格納する第１のデータベースファイルと、
視聴中の番組の字幕データの文字列をキーワードとして格納する第２のデータベースファイルと、
番組の視聴中にキーワードの表示指令が入力した場合、視聴中番組に対応する複数のキーワードを前記データベースファイルから読み出して表示用として作成するキーワードリスト作成部と、
表示中の複数のキーワードから任意のキーワードが選択された場合、前記シーンリスト用データを利用して、選択されたキーワードに対応する字幕データを含む複数のシーンのシーン選択項目を、前記シーンリスト用として作成するシーンリスト作成部と、
を備える請求項１記載の電子機器。
【請求項４】
前記シーンリスト作成部は、
前記複数のシーンのシーン選択項目をシーンリスト表示用として作成する場合、同一番組の中の複数のシーンの選択的頭だし用として複数のシーン選択項目を作成する、請求項３記載の電子機器。
【請求項５】
前記シーンリスト作成部は、
前記複数のシーンの選択項目をシーンリスト表示用として作成する場合、
同一番組の中の複数のシーンの選択的頭だし用として、複数のシーン選択項目を作成する、及び又は
記憶媒体に記録されている複数の番組のそれぞれのシーンを選択的に指定することができる複数のシーン選択項目を作成する、請求項３記載の電子機器。
【請求項６】
前記シーンリスト作成部は、シーンリストが表示されている状態で、シーン選択項目に該当する番組の先頭から再生するのか否かを示す表示用の選択ボタンを出力する請求項３記載の電子機器。
【請求項７】
前記第１のデータベースファイルの前記シーンリスト用のデータは、複数のチャンネルを同時受信するデジタルチューナ装置で受信された複数の番組のストリームから抽出した前記字幕データから作成されている請求項３記載の電子機器。
【請求項８】
前記第１のデータベースファイルと、第２のデータベースファイルと、キーワードリスト作成部と、シーンリスト作成部とは、デジタルテレビジョン受信機、または記録再生装置、またはサーバーの何れかに設けられている請求項３記載の電子機器。
【請求項９】
記録媒体に記録した複数の番組、前記番組それぞれの複数のシーンの中から任意の番組またはシーンを選択し再生出力する電子機器の制御方法において、
前記番組またはシーンのリストをリスト表示の操作入力に応じて画面表示し、
前記リスト表示手段で表示されるリストからいずれかの番組またはシーンを選択する操作入力に応じてその番組またはシーンの再生を開始し、
前記番組またはシーンの再生中に入力されるリスト表示の操作入力に応じて前記番組またはシーンの再生を停止すると共に、前記リストを再表示する電子機器の制御方法。
【請求項１０】
さらに、前記番組またはシーンの再生中に入力される再生停止の操作入力に応じて前記番組またはシーンの再生を停止して待機状態とし、再生の操作入力に応じて前記停止した位置から再生を開始する請求項９記載の電子機器の制御方法。
【請求項１１】
前記リストを作成する制御方法であって、
受信番組中の字幕の字幕データと前記字幕の表示時間を示す時間データを含むデータを、シーンリスト用のデータとして記憶部に格納し、
視聴中の番組の字幕データの文字列をキーワードとして記憶部に格納し、
番組の視聴中にキーワードの表示指令が入力した場合、視聴中番組に対応する複数のキーワードを前記記憶部から読み出して表示用として作成し、
表示中の複数のキーワードから任意のキーワードが選択された場合、前記シーンリスト用データを利用して、選択されたキーワードに対応する字幕データを含む複数のシーンのシーン選択項目を、前記シーンリスト用として作成する、
請求項９記載の電子機器の制御方法。
【請求項１２】
前記複数のシーンのシーン選択項目をシーンリスト表示用として作成する場合、同一番組の中の複数のシーンの選択的頭だし用として複数のシーン選択項目を作成する、請求項１１記載の電子機器の制御方法。
【請求項１３】
前記複数のシーンの選択項目をシーンリスト表示用として作成する場合、
同一番組の中の複数のシーンの選択的頭だし用として、複数のシーン選択項目を作成する、及び又は
記憶媒体に記録されている複数の番組のそれぞれのシーンを選択的に指定することができる複数のシーン選択項目を作成する、請求項１１記載の電子機器の制御方法。
【請求項１４】
前記シーンリストが表示されている状態で、シーン選択項目に該当する番組の先頭から再生するのか否かを示す表示用の選択ボタンを出力する請求項１１記載の電子機器の制御方法。
【請求項１５】
コンピュータで実行可能で、記録媒体に記録した複数の番組、前記番組それぞれの複数のシーンの中から任意の番組またはシーンを選択し再生出力するプログラムであって、コンピュータに対する命令として、
前記番組またはシーンのリストをリスト表示の操作入力に応じて前記リストを画面表示するリスト表示命令と、
前記リスト表示命令で表示されるリストからいずれかの番組またはシーンを選択する操作入力に応じてその番組またはシーンの再生を開始する再生開始命令と、
前記番組またはシーンの再生中に入力されるリスト表示の操作入力に応じて前記番組またはシーンの再生を停止すると共に、前記リストを再表示するリスト再表示命令と、
を具備する電子機器の制御プログラム。
【請求項１６】
さらに、前記番組またはシーンの再生中に入力される再生停止の操作入力に応じて前記番組またはシーンの再生を停止して待機状態とし、再生の操作入力に応じて前記停止した位置から再生を開始するレジューム命令を備える請求項１５記載の電子機器の制御プログラム。
【請求項１７】
前記リスト表示命令は、
受信番組中の字幕の字幕データと前記字幕の表示時間を示す時間データを含むデータを、シーンリスト用のデータとして記憶部に格納させる命令と、
視聴中の番組の字幕データの文字列をキーワードとして記憶部に格納させる命令と、
番組の視聴中にキーワードの表示指令が入力した場合、視聴中番組に対応する複数のキーワードを前記記憶部から読み出して表示用として作成させる命令と、
表示中の複数のキーワードから任意のキーワードが選択された場合、前記シーンリスト用データを利用して、選択されたキーワードに対応する字幕データを含む複数のシーンのシーン選択項目を、前記シーンリスト用として作成させる命令と
を備える請求項１５記載の電子機器の制御プログラム。
【発明の詳細な説明】
【技術分野】
【０００１】
この発明の実施形態は、電子機器、電子機器の制御方法及び制御プログラムに関する。
【背景技術】
【０００２】
テレビジョン信号を記録する装置（記録媒体を含むテレビジョン受信機及び記録再生装置、などの電子機器）は、信号記録用の記録媒体が大容量化している。このために多数の番組が記録媒体に記録可能である。【０００３】
一方では、記録媒体に記録した多数の番組の中から、所望の番組やシーンを検索するための技術も多く提案されている。これに伴い、番組やシーンの検索結果の中から任意の番組またはシーンを選択的に再生している最中で、ユーザが何らかの理由により再生をいったん停止させ再生の再開を指示する場合を想定し、ユーザにとって便利なレジューム機能の提案が要望されている。
【先行技術文献】
【特許文献】
【０００４】
【特許文献１】特開２００８−１４８０７７号公報
【特許文献２】特開２００９−７１６２３号公報
【特許文献３】特開２００９−１１８１６８号公報
【発明の概要】
【発明が解決しようとする課題】
【０００５】
従来の電子機器において、記録媒体に記録した多数の番組やシーンの検索結果からいずれかを選択し再生する場合に、再生停止、中断、再生再開を実行することを考慮して、ユーザにとって有意義なレジューム機能を実現する電子機器、電子機器の制御方法及び制御プログラムを提供することを目的とする。
【課題を解決するための手段】
【０００６】
この実施形態は、記録媒体に記録した複数の番組、前記番組それぞれの複数のシーンの中から任意の番組またはシーンを選択し再生出力する電子機器において、前記番組またはシーンのリストをリスト表示の操作入力に応じて前記リストを画面表示するリスト表示手段と、前記リスト表示手段で表示されるリストからいずれかの番組またはシーンを選択する操作入力に応じてその番組またはシーンの再生を開始する再生開始手段と、前記番組またはシーンの再生中に入力されるリスト表示の操作入力に応じて前記番組またはシーンの再生を停止すると共に、前記リストを再表示するリスト再表示手段と、を有する。【０００７】
さらに、前記番組またはシーンの再生中に入力される再生停止の操作入力に応じて前記番組またはシーンの再生を停止して待機状態とし、再生の操作入力に応じて前記停止した位置から再生を開始するレジューム手段を備える。
【発明の効果】
【０００８】
本実施形態の構成によれば、記録媒体に記録した多数の番組やシーンの検索結果からいずれかを選択し再生する場合に、再生停止、中断、再生再開を実行することを考慮して、ユーザにとって有意義なレジューム機能を実現する電子機器、電子機器の制御方法及び制御プログラムを提供することができる。
【図面の簡単な説明】
【０００９】
【図１】図１は、実施形態が適用されたテレビジョン受信機の構成の一例を示す図である。
【図２】図２は、番組表の例を示す図である。
【図３】図３は、番組表と、番組表に基づいて放送された放送番組に複数の字幕シーンがあることの一例を示す図である。
【図４】図４は、図１の装置における要部の構成例を放送信号受信時の動作例と共に示す図である。
【図５】図５は、図１の装置における要部の構成例を録画信号再生時の動作例と共に示す図である。
【図６】図６は、図１の装置の動作において表示器に表示される画像の例を示す図である。
【図７】図７は、図１の装置の動作において表示器に表示される画像の他の例を示す図である。
【図８】図８は、図１の装置の動作の例を示すフローチャートである。
【図９】図９は、図１の装置に対して再生表示部を分離独立させた場合の構成の一例を示す構成図である。
【図１０】図１０は、実施形態のリスト表示とリスト選択再生手順を説明するためのフローチャートである。
【図１１】図１１は、図１０のリスト選択再生後の停止・再生再開のレジューム処理の流れを示すフローチャートである。
【図１２】図１２は、図１０及び図１１に示すレジューム処理を示す概念図である。
【発明を実施するための形態】
【００１０】
以下、実施の形態について図面を参照して説明する。図１においてまず実施形態が適用されたテレビジョン受信機の構成の一例を示す。実施形態は、テレビジョン受信機だけでなく、記録再生装置、パーソナルコンピュータ、サーバー、セットトップボックスなどにも適用が可能である。
【００１１】
図１に示すテレビジョン受信機を代表して説明する。テレビジョン受信機は、デジタルチューナ装置１０２を有する。デジタルチューナ装置１０２は、例えばスクランブルされたデジタル地上波放送信号を受信する複数のチューナを含む。複数のチューナは、例えば４−８個であり、それぞれが異なるチャンネルの放送信号を受信することができる。デジタルチューナ装置１０２は例えばＢＳ／ＣＳデジタル放送受信用のチューナ（図示せず）が含んでも良い。
【００１２】
チューナ装置１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケット（制御パケット、或いはサービス情報パケットと称される場合もある）は、制御部２００に入力されて処理される。また、ＴＳの中には、電子番組案内（ＥＰＧ）データを含むパケットも含まれている。ＥＰＧデータが利用され、番組表が構成されることができる。
【００１３】
記憶装置１１１は、例えば、ハードディスクドライブ、光ディスク記録再生装置を含む。光ディスクにはデジタルバーサタイルディスク（ＤＶＤ（登録商標）），ブルーレイディスク（ＢＤ（登録商標））などが含まれる。
【００１４】
記憶装置１１１のハードディスクには、例えば複数チャンネルで放送される全番組を２乃至３週間分の保存（自動録画）することができる。ハードディスクドライブの増設により、１乃至４ヶ月分の全番組が自動録画されるようにしてもよい。録画番組のうち特別指定された番組以外は、古いものから自動削除される。特別指定された番組は、ユーザが永久保存番組として指定した番組である。特別指定は、例えばユーザがメニュー画面の特別番組指ボタンを選択する。すると、番組表が表示される。ユーザは、番組表の所望の番組をカーソルで選択し、決定ボタンを押す、すると特別番組指定が行われる。
【００１５】
ＴＳ処理部１２２から制御部２００に送られるパケットは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）データを含む。ＥＰＧデータが利用され、番組表が構成されることができる。
【００１６】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ  方式、ＭＰＥＧ方式などでエンコードされている。
【００１７】
ＴＳ処理部１２２はパケット分離部を含み、番組の映像パケットと、オーディオパケットを分離し、その他の制御データや、ＥＰＧデータを含むパケットを分離して出力する。
【００１８】
ＴＳ処理部１２２で分離されたオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００１９】
ＴＳ処理部１２２で分離された映像データを含むパケットは、映像デコーダ１３１に入力され、符号化方式に応じた復号化が実施される。映像デコーダ１３１でデコードされた映像データは、映像データ処理部１３２で、同期処理、輝度調整、色調整などが実施される。映像データ処理部１３２の出力は、映像出力部１３３に供給される。
【００２０】
映像出力部１３３は、制御部２００からのデータ、図形、番組表などをメイン映像信号に多重することができる。また映像出力部１３３は、出力映像信号に対して表示器１３４に応じたスケール、解像度、ライン数、アスペクト比などを設定して、表示器１３４に向けて出力する。
【００２１】
なお、有料番組のオーディオパケット、映像パケットが暗号化されている場合もある。この場合、鍵情報を用いて暗号化を解くための処理系統もあるがここでは省略している。
【００２２】
制御部２００は、中央演算処理ユニット（ＣＰＵ）２０１、ＥＰＧデータ処理部２０２、通信制御部２０３、操作デバイス管理部２０４、コマンド解析部２０５などを含む。
【００２３】
ＣＰＵ２０１は、制御部２００の全体の動作シーケンスの調整を行っている。
【００２４】
ＥＰＧデータ処理部２０２は、受信したＥＰＧデータを用いて、表示用の番組表を生成することができる。またＥＰＧデータに含まれる各種のデータを番組に関連付けて保存することができる。
【００２５】
通信制御部２０３は、外部との通信を行い、操作コマンド、データ、コンテンツ、などを取り込むことができる。取り込まれたコンテンツ、及びデータは、例えば記憶装置１１１、或いは不揮発性メモリ（記憶部、記憶装置と称しても良い）２４０に格納されることができる。通信制御部２０３は、テレビジョン受信機１００から外部に向けて、データ、コンテンツ、などを送信することができる。
【００２６】
通信制御部２０３は、無線通信送受信部１１３、有線通信送受信部１１２と接続されている。有線通信送受信部１１２は、インターネットを介して、遠隔サーバー、或いはホームサーバーとの間でデータの送受信を行うことができる。無線通信送受信部１１３は、複数の携帯端末５００、５０１との間でデータの送受信を行うことができ、近距離通信用である。また、テレビジョン受信機１００は、リモートコントローラ１１５からの操作信号を、受信部１１４を介して受け取ることもできる。
【００２７】
操作デバイス管理部２０４は、制御部２００に対して操作信号を与える携帯端末５００，５０１、リモートコントローラ１１５などのデバイス識別データを把握し、管理することができる。
【００２８】
コマンド解析部２０５は、外部から入力する操作コマンドを解析し、コマンドに応じた動作をテレビジョン受信機１００に反映させることができる。
【００２９】
さらに制御部２００内に、字幕処理部２３１、字幕シーンキーワードリスト作成部２３２、シーンリスト作成部２３３、表示制御部２３４を含む。また制御部２００は、データベースファイルを構築するためのメモリ２４０も含む。
【００３０】
メモリ２４０は、制御部２００内で保存する各種のデータ、アプリケーションなどを保存することができる。データファイル２４２は、ＥＰＧデータを保存している。ＥＰＧデータは、１週間或いは２週間毎に定期的に更新される。また急な番組変更があった場合には、制御信号に応じて自動的なデータ更新が実施される。
【００３１】
字幕処理部２３１は、番組（主として自動受信される番組）に含まれる字幕から生成した字幕データと前記字幕が表示される時間を示す時間データデータを含むデータを字幕シーンデータとして取り出す。この字幕シーンデータは、メモリ２４０内のデータベースファイル２４３に格納される。
【００３２】
字幕シーンキーワード作成部２３２は、再生中若しくは受信中の番組（主としてユーザが操作により選択した視聴中の番組）から、少なくとも字幕データを抽出し、この字幕データの文字列を字幕シーンキーワードとして取り出す。取り出された字幕シーンキーワードは、例えば「名詞」単位であり、メモリ２４０内のデータベースファイル２４４に格納される。
【００３３】
シーンリスト作成部２３３は、上記した字幕シーンキーワードの複数が、表示器１３４に表示されている状態で、ユーザが何れかのキーワードを操作により選択したときに動作を実行する。
【００３４】
このときシーンリスト作成部２３３は、選択されたキーワードに基いて、データベースファイル２４３をアクセスする。そして、選択されたキーワードに対応する字幕シーンのシーン選択項目を作成し、表示制御部２３４を介して、シーンリストとして表示器１３４に向けて出力する。このときの選択項目は、番組毎に作成可能であり、また、１つの番組内で複数の選択項目が作成可能である。
【００３５】
上記の構成により、データベースファイルと２４３は、番組に含まれる字幕から生成した字幕データと前記字幕が表示される時間を示す時間データを含むデータを字幕シーンデータとして格納することができる。
【００３６】
データベースファイル２４４は、再生中若しくは受信中の番組（視聴中の番組）から少なくとも字幕データを抽出し、この字幕データの文字列（名詞）をキーワードとして格納することができる。したがって、番組の再生時間若しくは受信時間が再生若しくは受信時点から短い時間であると、キーワードの蓄積も少ない。
【００３７】
キーワードリスト作成部２３２は、再生中若しくは受信中（番組の視聴中）に、キーワードを表示するための操作信号（指令）が入力した場合、前記データベースファイル２４４に格納されている複数のキーワードを表示用として出力することができる。
【００３８】
シーンリスト作成部２３３は、表示器１３４にされている複数のキーワードから任意のキーワードが選択された場合、選択されたキーワードに対応する字幕を有する複数のシーンの選択項目をシーンリスト表示用として出力することができる。過去のキーワード表示機能が設けられた場合、ユーザが興味を持ったキーワードの履歴や変遷を見ることができる。
【００３９】
データベースファイル２４５は、その他のデータを格納するために利用される。例えば、キーワード選択履歴を格納してもよい。そして、最近の例えば１乃至２週間の間にユーザが選択したキーワードの統計データを格納してもよい。
【００４０】
表示制御部２３４は、映像出力部１３３を介して表示器１３４に表示される映像信号を全般的に制御することができる。また表示制御部２３４は、ＯＳＤ（On screen display）コントローラと称されることもできる。表示制御部２３４は、画像信号の解像度、表示サイズ、表示エリアなどの調整処理を行うこともできる。また、ＥＰＧデータを用いて作成した番組表の映像信号や、操作信号に応じて制御部２００内で作成されたメニュー映像信号を映像出力部１３３に供給することができる。
【００４１】
携帯端末５００、５０１は、テレビジョン受信機１００をリモートコントロールすることもできる。
【００４２】
携帯端末５００、５０１は、図示しない基地局、インターネットなどを介してサーバーをアクセスすることができる。サーバーが提供するコンテンツは勿論のこと、各種のアプリケーション、ゲームソフトなどをダウンロードし、無線通信送受信部１１３を介して、制御部２００に転送することが可能である。また携帯端末５００、５０１は、コンテンツを取得するための情報（例えばウェブサーバーのアドレス、メールアドレス、ネットワークアドレスなど）を、無線通信送受信部１１３を介して、制御部２００に転送することが可能である。
【００４３】
ウェブサーバーのアドレス、メールアドレスなど、さらには動画、静止画、写真画像などをここでは「お勧め情報」あるいは「興味情報」と称してもよい。
【００４４】
表示用のメニュー映像信号、番組表映像信号などは、例えばデータベースファイル２４５に格納及びまたは管理されている。メニューの表示、番組表の表示が行われるときは、メニュー画面データ、番組表映像信号が、表示制御部２３４の制御に基づき、データ格納部（メモリ或いはハードディスク）から読み出される。これにより、メニュー画像や番組表画像が表示器１３４に表示される。
【００４５】
表示用のメニュー映像信号、番組表映像信号などは、携帯端末５００或いは５０１に送信されることもできる。携帯端末５０１或いは５０２がメニュー映像信号、番組表映像信号など要求した場合、制御部２００は、メニュー映像信号、番組表映像信号を送信することができる。後で説明するキーワードリスト、シーンリストなどが携帯端末５００或いは５０１に転送されてもよい。
【００４６】
携帯端末５０１或いは５０２は、メニュー映像信号、番組表映像信号をタッチ式パネルの画面に表示することができ、ユーザは、タッチ（或いはポイント）式パネルの画面に表示された操作ボタンに触れることにより、テレビジョン受信機に動作指令信号を与えることができる。
【００４７】
図２には、ＥＰＧデータを用いて作成された番組表の一例を示している。この番組表はリモートコントローラ１１５の「番組表」ボタンが押されたとき、表示制御部２３４の制御により、表示器１３４に表示される。図の例は、縦方向に時間、横方向にチャンネルＣＨ１，ＣＨ２，ＣＨ３，ＣＨ４・・・が示されている。リモートコントローラ１１５のスクロールボタン（スクロール方向を示す矢印が付されたボタン）を操作することにより、横方向及び縦方向にスクロールさせて、次の時間、及び次のチャンネルの番組欄を表示させることができる。
【００４８】
図の例では、  
チャンネルＣＨ１は、番組Ｐ１１（ニュース）、番組Ｐ１２（天気予報）、番組Ｐ１３（ニュース）、番組Ｐ１４（野球中継）、番組Ｐ１５（映画）、番組Ｐ１６（ニュース）、・・・などの番組が放送されることを示している。  
チャンネルＣＨ２は、番組Ｐ２１（事故現場中継）、番組Ｐ２２（天気予報）、番組Ｐ２３（ドラマＡ）、番組Ｐ２４（今日のニュース・・富士山世界遺産登録）、・・・などの番組が放送されることを示している。  
チャンネルＣＨ３は、番組Ｐ３１（交通情報）、番組Ｐ３２（クイズ番組）、番組Ｐ３３（音楽番組）、・・・などの番組が放送されることを示している。  
チャンネルＣＨ４は、番組Ｐ４１（ニューヨーク観光地紹介）、番組Ｐ４２（世界遺産富士山の紹介）、・・・などの番組が放送されることを示している。
【００４９】
ユーザは、番組表が表示された状態で、視聴したい番組の位置へ、リモートコントローラ操作により、カーソルを移動させることができる。所望の番組の位置へカーソルがあるときに、リモートコントローラの決定ボタンを押すと、当該番組の視聴が可能である。  
番組表データは、過去の番組の番組表、現在（本日）の番組の番組表、未来の番組の番組表（１−２週間後の番組表）データを含んでいる。しかし、図では、分かり易くするために、本日の番組表だけを示し、現在時刻が例えば２２時００分であるものとして説明する。
【００５０】
図３は、図１に示す装置が番組を自動録画した際にどのような処理を実行したかを説明するための図である。
【００５１】
実施形態のテレビジョン受信機は、字幕処理部２３１を備える。このために例えば、図２及び図３に示す番組Ｐ１４（野球中継）が録画されるとき字幕処理が実施される。字幕処理は、番組に含まれる字幕から生成した字幕データと前記字幕が表示される時間を示す時間データを含むデータを字幕シーンとして取り出す。この字幕シーンデータは、メモリ２４０内のデータベースファイル２４３に格納される。
【００５２】
今、番組Ｐ１４で放送される野球の試合が、ニューヨークのチームであるニューヨーク・フジ（ＮＹ−ＦＵＪＩ）対ロサンゼルスのチームであるロサンゼルス・エベレスト（ＬＯＳＳ−ＥＶＥＲＥＳＴ）で行われるものとする。番組Ｐ１４では、字幕として例えば「ニューヨーク」、「フジ」とい言う語句（キーワード）が頻繁に現れることが予想される。また、「ロサンゼルス」、「エベレスト」とい言う語句（キーワード）が頻繁に現れることが予想される。
【００５３】
これにより、字幕「ニューヨーク」のシーン、字幕「ロサンゼルス」のシーンを字幕シーンデータが、メモリ２４０内のデータベースファイル２４３に格納される。
【００５４】
この場合、その他に多数の字幕シーンデータを得るので、データベースファイル２４３に格納する場合、制限処理を行う。制限する条件は、各種の設定が可能である。
【００５５】
例えば、１つの番組内で、同一用語（キーワード）であって出現頻度の高い用語を、上位から複数、例えば２０乃至３０選択する。或いは、嗜好性判断部（図示せず）が、ユーザが過去に選択した用語（キーワード）（後述する）を登録用語として登録する。そして、字幕処理部２３１が「用語」を検出した場合、検出された用語が嗜好性判断部に登録されている登録用語と同一の場合は、当該用語に対して嗜好性ポイント（例えば＋１）を付加する。これにより多数出現する複数の用語間に順位を設定することができる。この場合、上記した出現頻度の高い用語にも順位に応じてポイント（＋５、＋４、＋３、＋２、＋１、＋０）を付加し、嗜好性のポイントと合わせて、複数の用語の順位を決定する条件であってもよい。
【００５６】
１つの番組内で、最もポイントが高いキーワードが決まった場合、このキーワードを当該番組の代表キーワードとしてもよい。また代表キーワードは、番組名に等しいか類似するワードが選択されてもよい。
【００５７】
次に、番組Ｐ４１（ニューヨーク観光地紹介）が録画されるものとする。この場合は、字幕「ニューヨーク」が含まれるシーンが頻繁に表示される。また例えば字幕「ビルディング」が含まれるシーンも頻繁に表示される。そのほか字幕「ストリート」、「公園」などが含まれるシーンも比較的多く表示される。
【００５８】
なお数多くの字幕シーンから表示候補を絞り込む条件として、ジャンル、放送時間帯、放送局別に、それぞれの番組に与えるポイントを異なるようにしてもよい。またジャンル、放送時間帯、または放送局別に分類した保存を行っても良い。
【００５９】
図４は、図１に示す装置において、放送信号（仮に番組ＰＸとする）が記録再生装置１１１に自動録画されるときの動作に関連するブロックを示している。放送信号中に含まれる字幕ストリームは、字幕処理部２３１に取り込まれる。字幕処理部２３１は、字幕ストリームの字幕から字幕データ（字幕文字列、表示時間データ）を読み取り、字幕シーンのデータとしてデータベースファイル２４３に出力する。
【００６０】
また字幕処理部２３１は、字幕の文字列データを形態要素解析し、「名詞」を取り出し、これを字幕シーンキーワードとして、データベースファイル２４４に出力する。この場合、データベースファイル２４４には、現在放送中の番組、若しくは現在再生中の番組の字幕シーンキーワードが保存される。したがって、字幕処理部２３１は、現在放送中若しくは現在再生中の番組の字幕シーンキーワードであって、データベースファイル２３３に、一旦保存された文字列データから抽出した字幕シーンキーワードをデータベースファイル２４４に格納してもよい。
【００６１】
つまり、字幕処理部２３１からデータベースファイル２３３に対して字幕シーンデータを格納し、データベースファイル２４４に対してキーワードを格納する方法としては、上記のように２つの形態が可能であり、いずれが採用されてもよい。１つの形態は、字幕処理部２３１からデータベースファイル２３３とデータベースファイル２４４に対して並列にデータを格納する形態であり、他の形態は、データベースファイル２３３に一旦格納した字幕シーンデータから、キーワードを作成して、データベースファイル２４４に格納する形態である。
【００６２】
上記キーワードに関しても、多数の字幕シーンキーワードを得るので、字幕シーンキーワードがデータベースファイル２４４に格納される場合、先に説明した場合と同様に制限処理が行われる。
【００６３】
自動録画の途中は、ユーザの操作に関わらず上記したデータベースファイル２４３、２４４に対する字幕シーンの保存、字幕シーンキーワードの保存を行う。
【００６４】
ここで、ユーザがキーワードを表示するためにリモートコントローラ１１５を通じて操作するものとする。すると、字幕シーンキーワード作成部２３２及び図１で示した表示制御部２３１は、データベースファイル２４４で構築されている番組ＰＸに関するキーワードの優先順位の高いもの（数個）選択し、表示器１３４に表示するための処理を行う。
【００６５】
このように本実施形態の装置は、現在視聴している番組の字幕から得られる複数のキーワードのうち、例えば出現頻度の高いキーワードを複数表示することができる。ここで、ユーザが、シーンリストを表示する目的で、何れか１つのキーワードをリモートコントローラの操作に基いて、選択し、決定ボタンを押したとする。
【００６６】
すると、シーンリスト作成部２３３は、選択されたキーワードに対応する字幕を有する複数の字幕シーンのシーンリストを、前記第１のデータベースファイルを参照して生成して、表示用として出力する。これにより、表示器１３４は、シーンリスト表示状態に切り替わることになる。シーンリストは、複数のシーン選択項目を含む。
【００６７】
次に、字幕シーンキーワードリスト作成部２３２がどのようなキーワードリストを作成し、シーンリスト作成部２３３が、どのようなシーンリストを作成するかを説明する。
【００６８】
図５は、図１に示す装置において、記憶装置１１１に録画されている番組Ｐ１４（野球中継・・ニューヨーク・フジ（ＮＹ−ＦＵＪＩ）対ロサンゼルス・エベレスト（ＬＯＳＳ−ＥＶＥＲＥＳＴ）が再生された場合を示している。
【００６９】
字幕処理部２３１において、再生中は、再生信号からデータベースファイル２４３に格納するための字幕シーンを取り出す必要はない。しかし他方では、自動受信状態であるために、受信中の放送信号から番組の字幕シーンデータを取り出して、データベースファイル２４３に順次格納している。
【００７０】
ここでユーザがキーワードを表示するためにリモートコントローラ１１５を通じて操作するものとする。すると、字幕シーンキーワード作成部２３２及び図１で示した表示制御部２３１は、データベースファイル２４４で構築されている番組Ｐ１４に関するキーワードの優先順位の高いもの（数個）選択し、表示器１３４に表示するための処理を行う。この結果、例えば「ニューヨーク」、「フジ」、「バッター」、「ロサンゼルス」、「エベレスト」、「ピッチャー」、・・・・「ヒット」・・・「ホームラン」などが代表的なキーワードリストとして表示される。
【００７１】
ここで、ユーザが、例えば「ニューヨーク」に興味を持っているものとする。ユーザが、リモートコントローラを操作して、キーワード「ニューヨーク」を選択し、決定ボタンを押したとする。すると、シーンリスト作成部２３３は、「ニューヨーク」が含まれる字幕シーンデータを検出する。例えば、シーンリスト作成部２３３は、番組Ｐ４１（ニューヨーク観光地紹介）に含まれるシーンの選択項目、その他の番組（ニューヨークの字幕が含まれる番組）のシーンのシーン選択項目を示すシーンリストを表示用として作成する。番組Ｐ４１（ニューヨーク観光地紹介）の場合、字幕「ニューヨーク」が多く含まれるからである。
【００７２】
ユーザは、リモートコントローラ操作により、番組Ｐ４１（ニューヨーク観光地紹介）に含まれるシーンの選択項目を選択し、決定ボタンを押すと、再生動作は、番組Ｐ４１の再生状態に移行する。
【００７３】
上記の説明は、理解を容易にするために、番組Ｐ１４と番組Ｐ４１との関係を説明したが、実際には、その他に「ニューヨーク」が含まれる字幕のシーンのデータが多数存在する可能性が高い。このような場合は、多数の番組の関連シーンの選択項目がシーンリストとして表示可能である。画面上に表示される選択項目は、例えば５乃至６個であるが、他の選択項目は、スクロール操作により画面上に表示することができる。
【００７４】
今、番組Ｐ１４を再生中であり、キーワードリストとして、キーワード「ニューヨーク」、「フジ」、「バッター」、「ロサンゼルス」、が表示されたものとする。ユーザが、ここで「フジ」を選択したとする。すると、番組Ｐ２４（ニュース・・・富士山世界遺産登録）、番組Ｐ４２（世界遺産富士山の紹介）のシーンを選択するための選択項目を含むシーンリストが表示される。ここで、ユーザはシーンリストを見て、いずれの番組を視聴したいかを決めることができる。
【００７５】
上記の説明ではキーワード「フジ」が選択された場合、シーンリストは、関連する全番組の代表的シーンリストを表示した。しかし、シーンリストの表示方法と、シーンリストの利用方法は各種の方法が可能であるので以下説明する。
【００７６】
図６は、図１に示す装置において、シーンリストの利用方法の一例を示している。画面１３４−１で、番組Ｐ１４の字幕データに含まれるキーワード「ニューヨーク」「フジ」「ロサンゼルス」「エベレスト」「ピッチャー」が表示されている。今、ユーザがキーワード「フジ」を選択したとする、すると、画面１３４−２に示すように、「視聴中の番組のシーンリストを表示？」するのか「全番組の関連シーンリストを表示？」するのかを問い合わせるコメントが表示される。今、ユーザがリモートコントローラ操作により、「視聴中の番組のシーンリストを表示？」と言うコメントを選択して、決定ボタンを押すと、画面１３４−３に切り替わる。
【００７７】
この画面１３４−３では、番組Ｐ１４の「野球中継」において、作成された複数シーンの選択項目が表示される。この例では「ＮＹ−ＦＵＪＩの選手紹介」「ＮＹ−ＦＵＪＩの歴代監督」「ＮＹ−ＦＵＪＩの遠征日程」「ＮＹ−ＦＵＪＩの優勝」などの選択項目が表示される。また、同時に「頭だし再生」を行うのか、「番組の先頭から再生」するのかを選択するための選択ボタンも表示される。「番組の先頭から再生」のボタンが選択された場合、番組Ｐ１４の先頭からの再生が開始される。シーンの選択項目のいずれかと、「頭だし再生」が選択された場合は、若しくは選択項目の何れか１つが選択されて決定ボタンが操作されたときは、選択されたシーンからの頭だし再生が実行される。
【００７８】
画面１３４−２において、ユーザが、「全番組の関連シーンリストを表示」選択した場合は、画面１３４−４のように、番組Ｐ２４の代表の選択項目（富士山が世界遺産）と、番組Ｐ４２の代表の選択項目（富士山の歴史）が表示される。
【００７９】
データベースファイル２４３においては、番組毎に代表となる字幕シーンが決められている。代表となるシーンの決め方は種々であり、例えば、番組内で頻度の最も高い字幕が現れるシーンが代表シーンとして指定され、このシーンの時間情報と共に字幕シーンデータが作成されている。
【００８０】
画面１３４−４においては、シーンリストの選択項目は２つであるが、実際の装置では、さらに多くの選択項目が表示される。この画面では、何れかの番組がリモートコントローラ操作により選択される（図の例では番組Ｐ４２−「世界遺産富士山の紹介」が選択されている）。すると例えば、画面１３４−５に示すように、番組Ｐ４２−「世界遺産富士山の紹介」が選択されていることを示し、頭だし再生を実行するのか、番組の先頭から再生するのかを決めるためのボタンが表示される。
【００８１】
リモートコントローラ操作により、先頭から再生のボタンを選択して、決定ボタンを押すと、番組Ｐ４２の先頭からの再生が開始される。リモートコントローラ操作により、所望の選択項目「富士山の履歴」または「富士山の登山道」または「四季の富士山」または「富士山の写真展」の何れかを選択して決定ボタンが押されると、選択したシーンからの頭だし再生が開始される。
【００８２】
つまり上記したシーンリスト作成部２３３は、複数のシーンの選択項目をシーンリスト表示用として作成する場合、同一番組の中の複数のシーンの頭だし用の選択項目、及び又は記憶媒体に記録されている複数の番組のシーンを選択的に指定することができるシーン選択用の選択項目を作成することができる。同一番組の中の複数のシーンの頭だし用のシーン選択項目が選択された場合、同一番組中でジャンプ再生が行われる。複数の番組のシーン選択項目の何れかを選択すれば、番組間のジャンプ再生が得られる。
【００８３】
また画面上では、戻るボタンも表示されるので、戻るボタンを選択して、決定ボタンを押すと、１つ前の画面に戻ることができる。
【００８４】
また、シーンリスト作成部２３３は、シーンリストが表示されている状態で、シーン選択項目に該当する番組の先頭から再生するのか否かを示す、選択ボタンを表示することができる。
【００８５】
図７は、図１に示す装置の動作において表示器に表示される画像の他の例を示す図である。番組の再生映像を視聴中に、リモートコントローラ１１５の例えば「字幕シーン」ボタンが押されると、複数のキーワード（例えば１−５）が表示される。そして何れかのキーワードがリモートコントローラ操作により、カーソルで選択され、リモートコントローラの決定ボタンが押されると、シーンリスト表示状態となる。図７の例は、全番組の関連シーンのリストを表示した例である。キーワードの選択では、例えば「ゴルフ」が選択されている。これにより、ゴルフに関係する番組のシーンリストが表示される。シーンリストの選択項目の中には、番組名、放送時間帯などが記述されていてもよい。
【００８６】
図８は、図１に示す装置の動作例を示すフローチャートである。例えばユーザがリモートコントローラの「字幕シーン」と記載されたキーを押すと、字幕シーンキーワードの抽出が行われ、字幕シーンキーワードのリストが表示される（ステップＳＡ１−ＳＡ３）。ここでユーザが、リモートコントローラを操作して所望のキーワードを選択すると、シーンリストの表示が得られる（ステップＳＡ４，ＳＡ５）。さらにユーザがシーンリストの中から、所望のシーン選択項目を選択すると、選択されたシーンの番組の再生が開始される。
【００８７】
上記した実施例は、キーワードリストが、ユーザが現在視聴している番組から作成される。このキーワードリストは、過去の番組のキーワードやユーザの嗜好性を調べて抽出したキーワードではない。このためにユーザが、今、興味を示しているキーワードに基いてシーンリストが作成される。
【００８８】
嗜好性データを構築する場合、例えばデータファイル２４５に過去に選択したキーワードを蓄積し、蓄積されたキーワードの選択回数から嗜好性を判断してもよい。またユーザが選択したキーワードを、１週間単位でまとめて、時間軸とともに履歴データとして蓄積してもよい。選択したキーワードの履歴データから、ユーザの嗜好性の変化を読み取ることができる。
【００８９】
上記の説明において、図１の制御部２００は、テレビジョン受信機と一体の如く説明した。しかし、チューナ装置１０２、ＴＳ処理部１２２、記憶装置１１、制御部２００全体は、独立した装置として構成されてもよい。または制御部２００内の字幕処理部２３１、字幕シーンキーワード作成部２３２、シーンリスト作成部２３３、表示制御部２３４、メモリ２４０などが独立した装置として構成されてもよい。
【００９０】
図９は、図１に示す装置において、再生表示部を分離独立させた場合の構成の一例を示している。この実施形態のシステムは、サーバー１１０１と、視聴機２１０１を有する。映像と音声を専用の視聴機２１０１で視聴できる。映像、音声などは、サーバー１１０１から視聴機２１０１に対して、送信器１１０２を介して送信される。視聴機２１０１は、受信機２１０２を介して、送られて来た映像、音声などを受信する。
【００９１】
図１０は、実施形態のリスト表示とリスト選択再生手順を説明するためのフローチャートである。図１１は、図１０のリスト選択再生後の停止・再生再開のレジューム処理の流れを示すフローチャートである。図１２は、図１１に示すレジューム処理を示す概念図である。尚、図１０及び図１１において、図８と同一部分には同一符号を付して示し、ここでは重複する説明は省略する。
【００９２】
まず、図１０において、本実施形態の特徴とするところは、ステップＳＡ7において、字幕シーンが検索されて再生が開始された状態で、ステップＳＡ８において、「ユーザがリモートコントローラ操作で字幕シーンリストキーを押すと、ステップＳＡ９において、再生を停止して、ステップＳＡ１０において、最後に視聴した字幕シーンリストを画面に表示して、一連の処理を終了する。これにより、ユーザは再生中に字幕シーンリストキーを押すだけで、停止キーを押すことなく再生が停止され、直ちに字幕シーンリストが表示されるので、操作の簡略化を実現することができる。
【００９３】
次に、図１１において、本実施形態の特徴とするところは、ステップＳＡ7において、字幕シーンが検索された再生が開始された状態で、ステップＳＡ１１において、ユーザがリモートコントローラ操作で停止キーを押す（※１）と、ステップＳ１２で再生を停止し、待機状態となる。ここで、ステップＳＡ１３において、ユーザがリモートコントローラ操作で再生キーを押すと、ステップＳＡ１４において、※１の停止位置から再生を再開する。これにより、ユーザは再生中に停止キーが押された場合には、再生キーを押すことで、直ちに中断位置から再生を再開することができるので、操作の簡略化を実現することができる。
【００９４】
上記図１０及び図１１の処理をまとめると、図１２に示すようなレジューム処理が実現される。図１２において、ある番組の任意のキーワード検索シーンが選択されると、そのシーンから再生が開始される。ここで、任意の時点で字幕シーンリストキーが押されると、その再生位置で停止して、最後に視聴した字幕シーンリストを画面に表示して、次の選択指示入力を待機する。また、再生中に停止キーが入力操作された場合には、その停止位置を保持し、再度再生キーが入力操作された場合には、停止位置から再生を開始する。このように、本実施形態では、再生中のキー操作入力に応じて複数のレジューム機能を実現することができ、ユーザにとって有意義な操作手順を実現することができる。
【００９５】
なお上記した実施形態の装置において、放送信号と共に送られてくる字幕の字幕データを利用することを説明した。しかしこれに限らず、音声・文字変換処理により変換された文字データを利用することも可能である。
【００９６】
上記した説明において、「部」は、「装置」、「器」、「ブロック」及び「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【００９７】
またこの実施形態は、コンピュータ読み取り可能な情報記憶媒体、或いはプログラムとしても適用できるものである。
【００９８】
即ち、コンピュータ読み取り可能な情報記憶媒体であって、コンピュータに対する命令として、以下の命令またはこの命令を備えるプログラムを記憶している。
【００９９】
番組に含まれる字幕から生成した字幕データと前記字幕が表示される時間を示す時間データを含むデータを、シーンリスト用のデータとして記憶部に格納させる命令と、  
再生中若しくは受信中の番組から少なくとも字幕データを抽出し、この字幕データの文字列をキーワードとして前記記憶部に格納させる命令と、  
再生中若しくは受信中に、キーワードを表示するための操作信号が入力した場合、前記記憶部に格納されている複数のキーワードを表示用として作成させる命令と、  
表示器に表示されている複数のキーワードから任意のキーワードが選択された場合、前記記憶部に前記シーンリスト用のデータとして格納されているデータを利用して、選択されたキーワードに対応する字幕データを含む複数のシーンのシーン選択項目を、前記シーンリスト用として作成させる命令と、を記憶している。その他、上記実施例で説明した各動作を実行させるための命令を記憶している。
【０１００】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
【符号の説明】
【０１０１】
１００・・・テレビジョン受信機、１０２・・・デジタルチューナ装置、１１１・・・記憶装置、１２２・・・ＴＳ処理部、１２３・・・オーディオデコーダ、１２４・・・オーディオデータ処理部、１２５・・・オーディオ出力部、１３１・・・映像デコーダ、１３２・・・映像データ処理部、１３３・・・映像出力部、１３４・・・表示器、２００・・・制御部、２０２・・・ＥＰＧデータ処理部、２０３・・・通信制御部、２０４・・・操作デバイス管理部、２０５・・・コマンド解析部、２３１・・・字幕処理部、２３２・・・字幕シーンキーワード作成部、２３３・・・シーンリスト作成部、２３４・・・表示制御部、２４０・・・メモリ。
【図１】
2015033448.tif 000003
【図２】
2015033448.tif 000004
【図３】
2015033448.tif 000005
【図４】
2015033448.tif 000006
【図５】
2015033448.tif 000007
【図６】
2015033448.tif 000008
【図７】
2015033448.tif 000009
【図８】
2015033448.tif 000010
【図９】
2015033448.tif 000011
【図１０】
2015033448.tif 000012
【図１１】
2015033448.tif 000013
【図１２】
2015033448.tif 000014
【国際調査報告】
2015033448.tif 000015
2015033448.tif 000016